(57)【要約】【課題】着座者の安全性を確保できるとともに幅方向の有効寸法を維持できる椅子を提供する。【解決手段】上端に肘掛け部８，６１ｂが配設される脚体５と、脚体５に組み付けられ背板３を支持する背支持ブラケット６，７とを有する椅子１において、背支持ブラケット６，７は、脚体５の前端部まで延設されるとともに、肘掛け部８，６１ｂの近傍まで上方に延設されており、背支持ブラケット６，７の上端部が肘掛け部８，６１ｂにより塞がれる。【選択図】図４
2014083390.tif 000002
【特許請求の範囲】
【請求項１】
上端に肘掛け部が配設される脚体と、該脚体に組み付けられ背板を支持する背支持ブラケットとを有する椅子において、前記背支持ブラケットは、前記脚体の前端部まで延設されるとともに、前記肘掛け部の近傍まで上方に延設されており、該背支持ブラケットの上端部が前記肘掛け部により塞がれることを特徴とする椅子。
【請求項２】
前記背支持ブラケットは、前記脚体の側面に沿う本体部と、該本体部に連続して前記脚体の前面に沿って屈曲する前曲部とを有することを特徴とする請求項１に記載の椅子。
【請求項３】
前記背支持ブラケットは、前記脚体の前面に締結されることで組み付けられることを特徴とする請求項１または２に記載の椅子。
【請求項４】
前記脚体に、該脚体を間にして左右に隣接する背板をそれぞれ支持する背支持ブラケットが組み付けられていることを特徴とする請求項１ないし３のいずれかに記載の椅子。
【請求項５】
前記肘掛け部に、前記背支持ブラケットの前端を塞ぐ被覆部が設けられていることを特徴とする請求項１ないし４のいずれかに記載の椅子。
【発明の詳細な説明】
【技術分野】
【０００１】
本発明は、上端に肘置き部が配設される脚体と、該脚体に組み付けられ背板を支持する背支持ブラケットとを有する椅子に関する。
【背景技術】
【０００２】
従来、例えば劇場用の椅子として、背板を支持するための背取付部材（背支持ブラケット）を、脚体に対しボルト等を用いた締結により組み付けた構成のものがある（例えば、特許文献１参照）。このような椅子は、床面の不陸や部品精度のばらつきを吸収するため、各部品ごとを組み付ける際に溶接加工は採用されることは少なく、ボルト等を用いた締結が一般的である。
【先行技術文献】
【特許文献】
【０００３】
【特許文献１】特許第４１７７６４６号公報（第６頁、第４図）
【発明の概要】
【発明が解決しようとする課題】
【０００４】
しかしながら、特許文献１にあっては、離着席の際もしくは着座時に、着座者が脚体に組み付けられた背取付部材（背支持ブラケット）の端縁や脚体との段差、或いはボルト等に接触し怪我をする虞があるため、この背取付部材を別部材である側板で覆い隠す場合がある。この場合だと、部品点数や組立工数が増大するばかりか、当該側板の厚さ寸法分、着座者のための幅方向の有効寸法が減殺されてしまうという問題がある。
【０００５】
本発明は、このような問題点に着目してなされたもので、着座者の安全性を確保できるとともに幅方向の有効寸法を維持できる椅子を提供することを目的とする。
【課題を解決するための手段】
【０００６】
前記課題を解決するために、本発明の椅子は、
上端に肘掛け部が配設される脚体と、該脚体に組み付けられ背板を支持する背支持ブラケットとを有する椅子において、前記背支持ブラケットは、前記脚体の前端部まで延設されるとともに、前記肘掛け部の近傍まで上方に延設されており、該背支持ブラケットの上端部が前記肘掛け部により塞がれることを特徴としている。
この特徴によれば、背支持ブラケットの前端が脚体の前端部まで延設され、且つ上方に延設された上端部が肘掛け部により塞がれているため、着座者が背支持ブラケットの前端や上端に接触して怪我をする虞を回避できるばかりか、この背支持ブラケットを化粧板として用いることで部品点数を減らし、着座者の有効寸法を確保できる。また、背支持ブラケットの前端部や上方に延設された部分を脚体との組み付け部分として利用することで、着座者が当該部分に接触することを防止でき、更にボルト等の組み付け具を着座者から見え難い箇所に配置できるので、外観体裁が良く且つイタズラの虞を回避できる。
【０００７】
本発明の椅子は、
前記背支持ブラケットは、前記脚体の側面に沿う本体部と、該本体部に連続して前記脚体の前面に沿って屈曲する前曲部とを有することを特徴としている。
この特徴によれば、背支持ブラケットの前端側を屈曲させることで、構造上の強度を高め、背板の支持力を増大させることができる。
【０００８】
本発明の椅子は、
前記背支持ブラケットは、前記脚体の前面に締結されることで組み付けられることを特徴としている。
この特徴によれば、背支持ブラケットを脚体の前面に締結することで、着座者が締結箇所に接触する虞を回避できるばかりか、背板に負荷される力が締結離脱の方向にかかり難く、背支持ブラケットの離脱を防止できる。
【０００９】
本発明の椅子は、
前記脚体に、該脚体を間にして左右に隣接する背板をそれぞれ支持する背支持ブラケットが組み付けられていることを特徴としている。
この特徴によれば、一つの脚体を、左右に隣接する背板用の背支持ブラケットの組み付けに共用できるばかりか、それぞれの背支持ブラケットに負荷される左右方向の荷重モーメントを相殺できる。
【００１０】
本発明の椅子は、
前記肘掛け部に、前記背支持ブラケットの前端を塞ぐ被覆部が設けられていることを特徴としている。
この特徴によれば、被覆部が設けられた肘掛け部を脚体に配設することで、背支持ブラケットの上端及び前端をいずれも塞ぐことができるため、着座者の安全性が更に向上する。
【図面の簡単な説明】
【００１１】
【図１】本発明の椅子を示す斜視図である。
【図２】支持体を示す分解斜視図である。
【図３】脚体に背支持ブラケット及びフロントパネルが組み付けられた状態を示す平面断面図である。
【図４】（ａ）は、支持体における脚体に背支持ブラケットが組み付けられた状態を示す斜視図であり、（ｂ）は、（ａ）の状態から脚体に肘木及びフロントパネルを取付けた状態を示す斜視図である。
【図５】背支持ブラケットの上端部に肘木が嵌合されて接続された状態を示す正面断面図である。
【図６】末端支持体を示す分解斜視図である。
【図７】（ａ）は、末端支持体における脚体に背支持ブラケットが組み付けられた状態を示す斜視図であり、（ｂ）は、（ａ）の状態からサイドパネルを取付けた状態を示す斜視図である。
【図８】（ａ）は、末端支持体と支持体との間に背板を取付けた状態を示す斜視図であり、（ｂ）は、背板の前面に背凭れ用クッションを取付けた状態を示す斜視図である。
【図９】（ａ）は、末端支持体と支持体との間に座板を取付けた状態を示す斜視図であり、（ｂ）は、座板が支持部に支持された状態を示す斜視図である。
【図１０】背支持ブラケットの前曲部の変形例を示す平面断面図である。
【発明を実施するための形態】
【００１２】
本発明に係る椅子を実施するための形態を実施例に基づいて以下に説明する。
【実施例】
【００１３】
実施例に係る椅子につき、図１から図９を参照して説明する。図１に示されるように椅子１は、左右方向に所定間隔離間して複数配置される支持体２と、隣接する支持体２同士の間に架設される背板３及び座板４と、から主に構成されており、例えば大学の講堂や劇場、映画館やコンサートホールなどにおいて、前後方向に複数配置することで多くの使用者が着座することができるようになっている。尚、複数配置される支持体２のうち、左右方向の両端に位置するものを末端支持体２１，２１’として説明する。
【００１４】
先ず、支持体２について説明すると、図２に示されるように、支持体２は、床面に固定される脚体５と、脚体５の左右両端に組み付けられ背板３を支持する背支持ブラケット６，７と、背支持ブラケット６，７の上端に取付けられる本発明の肘掛け部としての肘木８と、から構成されている。
【００１５】
図２に示されるように、脚体５は、下端部にボルト等で床面に固定するための取付部５ａと、取付部５ａから上方に向けて立設される平面視略矩形状の支柱部５ｂと、支柱部５ｂの両側面に設けられ座板４を枢支する枢支部５ｃ，５ｃと、枢支部５ｃ，５ｃに取付けられた座板４を支持する支持部５ｇ，５ｇと、を備えている。尚、座板４の取付けについては後述にて説明する。
【００１６】
背支持ブラケット６，７は、それぞれ、脚体５の側面に沿う本体部６ａ，７ａと、本体部６ａ，７ａに連続して脚体５の前面に沿って屈曲する前曲部６ｂ，７ｂと、本体部６ａ，７ａに連続しており背板３側に前曲部６ｂ，７ｂの延設方向と対抗方向に延設される背曲部６ｃ，７ｃと、を備えている。本体部６ａ，７ａは、その外側面が化粧面として施され、また支柱部５ｂの上端よりも上方に突出し、前縁と上縁とに架けて弧状に形成された上端部６ｇ，７ｇを有している。この前曲部６ｂ，７ｂは、連続形成された背支持ブラケット６，７の前端側を屈曲させることで形成されている。また、本体部６ａは、前曲部７ｂの厚み分、本体部７ａよりも前後方向に長く形成されている。
【００１７】
図２ないし図４（ａ）に示されるように、この背支持ブラケット６，７は、前曲部６ｂ及び支柱部５ｂが前曲部７ｂを挟み込んだ状態で支柱部５ｂの上端側を左右方向から狭圧し、前曲部６ｂ，７ｂを支柱部５ｂの前面にボルトねじ１０で締結することで、脚体５に組み付けられている。また、本体部６ａ，７ａを固定するために図示しないボルト等で支柱部５ｂに固定する。尚、本体部６ａ，７ａの左右方向にボルト等が突出しないように、本体部６ａ，７ａに設けられるボルト孔は座繰り加工されていてもよい。このように、背支持ブラケット６，７は、脚体５の前面に沿って屈曲する前曲部６ｂ，７ｂを備えているため、前曲部６ｂ，７ｂがリブ状の形状となって構造上の強度が高まっており、支柱部５ｂの前面に対して強固に締結できるようになっている。
【００１８】
図３に示されるように、背支持ブラケット６，７が脚体５に組み付けられた状態において、背支持ブラケット７の前曲部７ｂの端面７ｈは、背支持ブラケット６に被覆されており、外部に露出する背支持ブラケット６，７と脚体５との段差が減少している。
【００１９】
更に、背支持ブラケット６，７は、支柱部５ｂの前面にボルトねじ１０で締結されているため、着座者側にボルトねじ１０が露出することを回避されている。尚、特に図示しないが前述したように本体部６ａが前曲部７ｂの厚み分、本体部７ａよりも前後方向に長く形成されているため、背支持ブラケット６の背曲部６ｃは、背支持ブラケット７の背曲部７ｃと左右方向に面一になるように構成されている。
【００２０】
図２、図４（ｂ）、及び図５に示されるように、肘木８は、両側面が本体部６ａ，７ａの上端部６ｇ，７ｇの形状に切欠いて形成される切欠き部８ａ，８ａを有しており、肘木８と本体部６ａ，７ａとは、切欠き部８ａ，８ａに上端部６ｇ，７ｇを嵌合させた状態で挿入ネジ１１及び受けネジ１２によって締結されている（図５参照）。すなわち、背支持ブラケット６，７の上端部６ｇ，７ｇが肘木８によって塞がれている。尚、この肘木は、予め支柱部の上端に固着されてもよいし、支柱部と一体形成されていてもよい。
【００２１】
また、図２及び図４（ｂ）に示されるように、肘木８は、本発明の被覆部としてのフロントパネル９を有している。より詳しくは、このフロントパネル９は、上端部に上方に向けて突出する突起部９ａと、下端部に設けられる固定部９ｂと、背面に凹設される凹溝９ｃと、を備えている。このフロントパネル９は、肘木８の前端に上下方向を向いて設けられた凹部８ｂに突起部９ａが嵌合されて接続されている。そして、フロントパネル９は、背支持ブラケット６，７が組み付けられた支柱部５ｂの前面を凹溝９ｃに内嵌した状態で固定部９ｂに挿入されたボルト等で支柱部５ｂの前面に固定設置されている。
【００２２】
これによれば、図３に示されるように、肘木８に接続されたフロントパネル９が支柱部５ｂの前面にボルトねじ１０で締結された背支持ブラケット６，７の締結箇所を被覆するようになっている。すなわち、肘木８及びフロントパネル９によって、背支持ブラケット６，７の上端部６ｇ，７ｇ及び支柱部５ｂの前面がいずれも塞がれている。尚、このフロントパネルは、肘木に対して固着されていても構わない。
【００２３】
次に、末端支持体２１，２１’について説明する。尚、この末端支持体２１，２１’は、略同一形状を成すため、末端支持体２１についてのみ説明する。
【００２４】
図６に示されるように、末端支持体２１は、脚体５１、背支持ブラケット７、及び末端支持体２１の末端側に取付けられるサイドパネル６１と、から構成されている。この脚体５１の支柱部５１ｂは、支柱部５１ｂにおけるサイドパネル６１との反対側の面に枢支部５ｃ及び支持部５ｇを備えている。更に、支柱部５１ｂは、サイドパネル６１側の通路を照らす図示しない誘導灯を取付けるための取付孔部１３が左右方向に貫通して形成されている。また、図７（ａ）に示されるように、背支持ブラケット７は、前曲部７ｂが支柱部５１ｂの前面にボルトねじ１０で締結することで、脚体５１の上端側に組み付けられている。
【００２５】
図６に示されるように、サイドパネル６１は、脚体５１の側面に沿うパネル部６１ａと、パネル部６１ａの上端部から背支持ブラケット７の上端部７ｇに向けて延設される肘掛け部６１ｂと、肘掛け部６１ｂの前端から下方に向けて延設される被覆部６１ｃと、パネル部６１ａに設けられ取付孔部１３と連通する連通孔６１ｄと、を備えている。また、サイドパネル６１の外面側には、前後方向に複数配置された椅子１の列番を示す表示部１４が設けられている（図１参照）。
【００２６】
すなわち、図７（ｂ）に示されるように、背支持ブラケット７の上端部７ｇが肘掛け部６１ｂによって塞がれているとともに、支柱部５１ｂの前面に締結された背支持ブラケット７の締結箇所が被覆部６１ｃによって塞がれている。尚、サイドパネル６１は、パネル部６１ａ，肘掛け部６１ｂ，被覆部６１ｃ，及び連通孔６１ｄが一体形成されていたが、これに限られず、サイドパネルを別個の部材で形成し、後から組み立てるようにしてもよい。
【００２７】
次いで、隣接する支持体２同士の間に背板３及び座板４を架設する作業について説明する。尚、ここでは、末端支持体２１と末端支持体２１に隣接する支持体２との間に背板３及び座板４を架設する態様について説明する。更に尚、この背板３には、上端面に図示しない席番を表示する席番プレートが取付けられている。
【００２８】
図８（ａ）に示されるように、背板３は、背板３を末端支持体２１及び支持体２の間に背面側から配置し、前面側から背曲部６ｃ，７ｃを介してボルト等を緊締することで末端支持体２１及び支持体２の間に架設される。このとき、前述したように、背支持ブラケット６の背曲部６ｃは、背支持ブラケット７の背曲部７ｃと左右方向に面一になるように構成されているため、背板３が架設される位置が前後方向にバラつくことがなく、椅子１の美観を損なわない。
【００２９】
そして図８（ｂ）に示されるように、背板３の前面に背曲部６ｃ，７ｃを被覆するように背凭れ用クッション３ａを取付ける。このように背凭れ用クッション３ａが背曲部６ｃ，７ｃを被覆するため、背曲部６ｃ，７ｃと背板３との段差、及びボルト等が外部に露出しないようになる。
【００３０】
その後、図９（ａ）に示されるように、末端支持体２１及び支持体２の間に座板４を架設する。座板４の上面には、着座用クッション４ａが取付けられており、着座用クッション４ａは、両端部から左右方向に突出する軸部４ｂ、４ｂを備えている。この座板４は、軸部４ｂ、４ｂを末端支持体２１及び支持体２の各枢支部５ｃに取付けることにより、末端支持体２１及び支持体２の間に対して回動自在に枢支されるようになり、略垂直方向を向く座板４の収容位置と略水平方向を向く着座位置とに適宜変位できるようになる。
【００３１】
図９（ｂ）に示されるように、座板４が前記着座位置に変位されると、座板４の下面が支持部５ｇに支持されるようになり、座板４がそれ以上下方に向けて回動しないようになる。したがって、着座者が座板４に着座した際には、座板４が略水平方向を向く着座位置に保持される。このように、末端支持体２１及び支持体２の間に座板４が架設されると、背支持ブラケット６，７の下端部が座板４の着座用クッション４ａによって被覆され、外方に露出しないようになっている。そして、上記の作業工程と同様の工程で隣接する支持体２同士の間に背板３及び座板４を架設することで椅子１が形成される。
【００３２】
以上説明したように、背支持ブラケット６，７の前端が脚体５の前端部まで延設され、脚体５の支柱部５ｂの前面に沿って屈曲する前曲部６ｂ，７ｂとなっていることにより、外部に露出する背支持ブラケット６，７と脚体５との段差が減少している。更に、肘木８や肘掛け部６１ｂにより、背支持ブラケット６，７の上端部６ｇ，７ｇが塞がれている。そのため、着座者が背支持ブラケット６，７の端縁や脚体５との段差、或いはボルト等に接触して怪我をする虞を回避できる。更に、例えば図８（ａ）に示される背支持ブラケット６，７の上端部６ｇ，７ｇの後側に設けたボルトは、背凭れ用クッション３ａで隠され（図８（ｂ）参照）、着座者から見え難い箇所に配置されているので、外観体裁が良く且つイタズラの虞を回避できる。尚、背支持ブラケット６，７の上端部６ｇ，７ｇの前側及び上記した後側にボルトを設けず、背支持ブラケット６，７を脚体５の前面のみに組み付けてもよく、このようにすることで、背支持ブラケット６，７の美観が更に高まる。
【００３３】
また、この背支持ブラケット６，７を化粧板として用いることで別部材の化粧板を用いる必要がなく、支持体２にかかる部品点数を減らし、着座者の有効寸法を確保できる。
【００３４】
また、背支持ブラケット６，７は、支柱部５ｂの上端よりも上方に突出する上端部６ｇ，７ｇを有しており、上端部６ｇ，７ｇに肘木８を設置するため、支柱部５ｂの長さを長く設けなくても、上端部６ｇ，７ｇの長さを調整して形成すればよく、脚体５にかかる種々の部材の大きさを平均化できる。
【００３５】
また、背支持ブラケット６，７の前曲部６ｂ，７ｂや上方に延設された上端部６ｇ，７ｇを脚体５との組み付け部分として利用することで、着座者と接触することを防止できる。更に、背支持ブラケット６，７を支柱部５ｂの前面に締結することで、背板３に負荷される力がボルトねじ１０の離脱方向にかかり難く、背支持ブラケット６，７が脚体５から離脱することを防止できる。
【００３６】
また、前曲部６ｂ，７ｂは、連続形成された背支持ブラケット６，７の前端側を屈曲させることで形成されており、構造上の強度が高められている。したがって、背曲部６ｃ，７ｃに背板３を取付けた際に、前曲部６ｂ，７ｂに対して大きなモーメントが生じても背板３を支持した状態を保つことができる。尚、前曲部は、背支持ブラケットの本体部に溶接等により設けられてもよい。
【００３７】
また、一つの脚体５を、背支持ブラケット６，７の組み付けに共用することができるため、支持体２にかかる部品点数を少なくなり、着座者の有効寸法を確保できる。更に、隣接する支持体２の脚体５の間に背支持ブラケット６，７を介して背板３が取付けられているため、各背支持ブラケット６，７にそれぞれ負荷される左右方向の荷重モーメントを相殺できる。
【００３８】
また、フロントパネル９が設けられた肘木８、及び被覆部６１ｃが設けられた肘掛け部６１ｂを脚体５に配設することで、背支持ブラケット６，７の上端部６ｇ，７ｇ及び支柱部５ｂの前面がいずれも塞がれているため、着座者が背支持ブラケット６，７の端縁や脚体５との段差、或いはボルト等に接触することがなく、安全性が更に向上するばかりか、美観を損なうことがない。
【００３９】
尚、本発明に係る背支持ブラケットの変形例として、図１０に示されるように、背支持ブラケット６’の前曲部６ｂ’は、端面６ｈが背支持ブラケット７の本体部７ａの外周面と略面一となるように構成してもよい。これによれば、前曲部６ｂ’の端面６ｈと背支持ブラケット７とに段差が形成されず、着座者に接触することがないため、特段のフロントパネルを用いず、部品点数を減らし、支持体２にかかるコストを抑えることができる。更に尚、本発明に係る背支持ブラケットの変形例として、特に図示しないが、脚体の左右に取り付けられる一対の背支持ブラケットの前曲部同士を、当該脚体の支柱部前面の略中央部にて突合せるとともに、これら前曲部の前面を略面一に形成することで、当該背支持ブラケット同士の段差を解消することができる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、前記実施例では、支柱部５ｂが平面視略矩形状を成しており、背支持ブラケット６，７は、支柱部５ｂの形状に合わせて本体部６ａ，７ａの前端側を略９０度屈曲させて前曲部６ｂ，７ｂを形成したが、例えば、支柱部の前面が先細のテーパ状を成し、当該テーパ状に合わせて前曲部が形成されてもよい。
【００４２】
また、椅子１は、背板３及び座板４が複数設けられるものに限られず、一対の末端支持体に１組のみの背板及び座板が設けられ、単独で用いられてもよい。
【符号の説明】
【００４３】
１                椅子
２                支持体
３                背板
４                座板
５                脚体
５ｂ              支柱部
６，６’          背支持ブラケット
６ａ              本体部
６ｂ，６ｂ’      前曲部
６ｃ              背曲部
６ｇ              上端部
７                背支持ブラケット
７ａ              本体部
７ｂ              前曲部
７ｃ              背曲部
７ｇ              上端部
８                肘木（肘掛け部）
９                フロントパネル（被覆部）
１０              ボルトねじ
２１，２１’      末端支持体
５１              脚体
５１ｂ            支柱部
６１              サイドパネル
６１ａ            パネル部
６１ｂ            肘掛け部
６１ｃ            被覆部
【図１】
2014083390.tif 000003
【図２】
2014083390.tif 000004
【図３】
2014083390.tif 000005
【図４】
2014083390.tif 000006
【図５】
2014083390.tif 000007
【図６】
2014083390.tif 000008
【図７】
2014083390.tif 000009
【図８】
2014083390.tif 000010
【図９】
2014083390.tif 000011
【図１０】
2014083390.tif 000012